(57)【要約】【課題】  雨天時等においても、長時間快適に装着し得る釣用ウェアの提供。【解決手段】  表地材と裏地材との間に防水樹脂材が積層された三層構造の防水性布部材と、表地材の裏側に防水樹脂材が積層された二層構造の防水性布部材とから構成され、三層構造の防水性布部材および二層構造の防水性布部材どうしをその面方向に並べて端部どうしを縫着して形成されており、二層構造の防水性布部材が裾部に配置されている構成の釣用ウェア。【選択図】  図３
2010163723.tif 000002
【特許請求の範囲】
【請求項１】
表地材と裏地材との間に防水樹脂材が積層された三層構造の防水性布部材と、表地材の裏側に防水樹脂材が積層された二層構造の防水性布部材とから構成され、三層構造の防水性布部材および二層構造の防水性布部材どうしをその面方向に並べて端部どうしを縫着して形成されており、
前記二層構造の防水性布部材が裾部に配置されていることを特徴とする釣用ウェア。
【請求項２】
二層構造の防水性布部材が袖口部に配置されていることを特徴とする請求項１記載の釣用ウェア。
【請求項３】
釣用ウェアは上衣およびズボンから構成されており、二層構造の防水性布部材が上衣の裾部およびズボンの裾部にそれぞれ配置されていることを特徴とする請求項１または請求項２記載の釣用ウェア。
【請求項４】
防水樹脂材は透湿防水性生地であり、表地材が撥水加工された撥水性生地であることを特徴とする請求項１ないし請求項３記の何れかに記載の釣用ウェア。
【発明の詳細な説明】
【技術分野】
【０００１】
本発明は、釣行の際に着用するレインスーツなどの釣用ウェアに関する。
【背景技術】
【０００２】
この種の釣用ウェア（レインスーツ）として、表地材と裏地材との間に防水樹脂シートが積層された三層構造の防水性布部材を用いてウェア本体を形成しているものがある（例えば下記特許文献１参照）。
このような釣用ウェアにおいて、防水性布部材を、裏地材を設けて構成することにより、防寒性や強度を確保することができる。
【先行技術文献】
【特許文献】
【０００３】
【特許文献１】特開２００３−２２１７１１号公報
【発明の概要】
【発明が解決しようとする課題】
【０００４】
しかしながら、一般的に裏地材は吸水性を有している。このため、水が袖口や裾口からウェア本体に浸入すると裏地材に染込んでしまい、この場合は染込んだ水のために着用者に不快感を与えることがある、といった課題がある。
【０００５】
本発明は上記課題に鑑み、雨天時等においても、長時間快適に装着し得る釣用ウェアの提供を目的とする。
【課題を解決するための手段】
【０００６】
本発明の釣用ウェアは、表地材と裏地材との間に防水樹脂材が積層された三層構造の防水性布部材と、表地材の裏側に防水樹脂材が積層された二層構造の防水性布部材とから構成され、三層構造の防水性布部材および二層構造の防水性布部材どうしをその面方向に並べて端部どうしを縫着して形成されており、前記二層構造の防水性布部材が裾部に配置されていることを特徴としている。
【０００７】
上記構成によれば、裾部では、表地材の裏側に積層された防水樹脂材によって、裾部を構成する防水性布部材の表地材の裏側から水が染込むのが効果的に抑制されるから、水が裾部から入り易い環境下で釣用ウェアを着用者が着用しても、着用者は釣用ウェアを快適に着用し続けることができる。
【０００８】
本発明の釣用ウェアでは、二層構造の防水性布部材が袖口部に配置されていることを特徴としている。
上記構成によれば、袖口部では、表地材の裏側に積層された防水樹脂材によって、袖口部を構成する防水性布部材の表地材の裏側から水が染込むのが効果的に抑制されるから、水が袖口部から入り易い環境下で釣用ウェアを着用者が着用しても、着用者は釣用ウェアを快適に着用し続けることができる。
【０００９】
本発明の釣用ウェアは、上衣およびズボンから構成されており、二層構造の防水性布部材が上衣の裾部およびズボンの裾部（裾口）にそれぞれ配置されていることを特徴としている。
上記構成によれば、上衣においてはその裾部、ズボンにおいてはその裾部（裾口）での水の染込みが効果的に抑制されるから、着用者は釣用ウェアを快適に着用し続けることができる。
【００１０】
本発明の釣用ウェアでは、防水樹脂材は透湿防水性生地であり、表地材が撥水加工された撥水性生地であることを特徴としている。
上記構成によれば、着用者の汗は透湿防水性生地および撥水性生地を通過して外部へ排出され、しかも撥水性生地によって水の浸入が効果的に抑制されるから、着用者は釣用ウェアを快適に着用し続けることができる。
【発明の効果】
【００１１】
本発明の釣用ウェアでは、二層構造の防水性布部材が裾部に配置されているから、裾部では、表地材の裏側に積層された防水樹脂材によって、裾部を構成する防水性布部材の表地材の裏側から水が染込むのが効果的に抑制され、水が裾部から入り易い環境下で釣用ウェアを着用者が着用しても、着用者は釣用ウェアを快適に着用し続けることができる。
【図面の簡単な説明】
【００１２】
【図１】本発明の実施形態を示す釣用ウェアのうち上衣を示す正面側からの斜視図
【図２】同じく背面側からの斜視図
【図３】同じく前身ごろを開いて裏側を露出させた状態の正面側からの斜視図
【図４】同じく釣用ウェアのうちのズボンであって、裏返した状態の正面側からの斜視図
【図５】同じくズボンであって、裏返した状態の背面側からの斜視図
【図６】同じくウェア本体を構成する生地の拡大断面図であって、（ａ）は三層構造の防水性布部材の断面図、（ｂ）は二層構造の防水性布部材の断面図
【発明を実施するための形態】
【００１３】
以下、本発明の実施形態に係る釣用ウェアを、図面に基づいて説明する。
図１は釣用ウェアのうち上衣を示す正面側からの斜視図、図２は背面側からの斜視図、図３は前身ごろを開いて裏側を露出させた状態の正面側からの斜視図、図４は釣用ウェアのうちのズボンであって、裏返した状態の正面側からの斜視図、図５は裏返した状態の背面側からの斜視図、図６はウェア本体を構成する生地の拡大断面図であって、（ａ）は三層構造の防水性布部材の断面図、（ｂ）は二層構造の防水性布部材の断面図をそれぞれ示す。
これらの図に示すように、釣用ウェア１は上衣２とズボン３から構成されている。
【００１４】
まず上衣２について、図１ないし図３を中心に説明する。上衣２は上衣本体４を有する。上衣本体４は左右の前身ごろ５，６、後身ごろ１０、左右の袖９、ネック部（カラー）９を有する。
左右の前身ごろ５，６は合せ目１３，１４に丈方向に沿うようスライドファスナ１５のテープ部が縫着されている。また、左前身ごろ５，６に前立１７が設けられている。この前立１７はスライドファスナ１５を閉じて合せ目１３，１４どうしを閉じた状態でスライドファスナ１５，１６の前側に位置する。これにより、スライドファスナ１５の合せ目からの水の浸入を抑制するとともに、防寒の機能を有する。
【００１５】
左右の前身ごろ５，６、後身ごろ１０の裾端１８に沿ってゴム紐（調節紐）２０が通されており、ゴム紐２０の途中部分が裾端１８から引出されて、引出された部分がスライドストッパ２１を通過するよう構成されている。
これによって、左右の前身ごろ５，６の合せ目１３，１４どうしを閉じた状態で、裾端１８を着用者の胴周りにフィットさせ得るよう構成されている。
【００１６】
左右の前身ごろ５，６および後身ごろ１０は、第１防水性布部材２５Ａと第２防水性布部材２６Ａとの組合わせから構成されている。
第１防水性布部材２５Ａは、図６（ａ）に示すように、表地材２７と裏地材２８との間に防水樹脂材２９が積層された三層構造の防水性布部材である。第２防水性布部材２６Ａは、図６（ｂ）に示すように、表地材２７の裏側に防水樹脂材２９が積層された二層構造の防水性布部材である。また、防水樹脂材２９は透湿防水性生地であり、表地材２７は撥水加工された撥水性生地である。
【００１７】
左右の前身ごろ５，６および後身ごろ１０において、裾部３５Ａ（丈方向下部）は第２防水性布部材２６Ａによって構成されており、その上部（着用者の背や胸に相当する領域）は、第２防水性布部材２６Ａと互いに面方向（丈方向）に並べられた第１防水性布部材２５Ａによって構成されている。
第１防水性布部材２５Ａと第２防水性布部材２６Ａとは、左右の前身ごろ５，６および後身ごろ１０の丈方向途中部分の縫着部３９によって一体化されている。
【００１８】
さらに具体的に、後身ごろ１０における第２防水性布部材２６Ａの丈方向高さに比べて、左右の前身ごろ５，６における第２防水性布部材２６Ａの丈方向高さが高く設定されている。後身ごろ１０における第２防水性布部材２６Ａと左右の前身ごろ５，６における第２防水性布部材２６Ａとは、丈方向に沿う段付部３６によって連続するよう形成されている。
また、後身ごろ１０における第２防水性布部材２６Ａの上辺２６ａは、幅方向中心側が丈方向上方に向けて凸となるよう湾曲して形成されている。
【００１９】
図１および図２を参照して、上衣２において袖９の袖口は伸縮性が付与されている。また、図１は上衣２において片袖９の袖口部３７を裏返した状態を示している。
両袖９において、袖口部３７は帯状の第２防水性布部材２６Ａを袖口形成方向に筒状に形成することで構成されている。両袖９において、他の部分（着用者の腕から肩にいたる領域部分）は第１防水性布部材２５Ａによって構成されている。第１防水性布部材２５Ａおよび第２防水性布部材２６Ａは縫着部３９によって一体化されている。
【００２０】
次に、図４および図５に基づいて、ズボン３の構成を説明する。ズボン３はズボン本体４０を有する。ズボン本体４０は、互いに幅方向側部で丈方向に縫着された前身ごろ７，８、後身ごろ１１，１２、および腰周り部４１から構成されている。ズボン本体４０の履口部４０ａおよび裾口部４０ｂには、伸縮性が付与されている。ズボン本体４０の腰周り部４１の幅方向中心には、丈方向に沿うようスライドファスナ１６のテープ部が縫着されている。
【００２１】
ズボン本体４０もまた、第１防水性布部材２５Ｂと第２防水性布部材２６Ｂとを面方向に並べて端部どうしを縫着した縫着部３９によって一体化されることで構成されている。
このうち第１防水性布部材２５Ｂは、所定の強度を要する部分に配置されている。すなわち、着用者の膝に対応する領域およびその周辺部分と、着用者の臀部に対応する領域およびその周辺部分である。それ以外の部分には、第２防水性布部材２６Ｂが配置されている。
【００２２】
さらに具体的に、左右の前身ごろ７，８の一部を構成する第１防水性布部材２５Ｂは、左右対称形状に形成されている。また、第１防水性布部材２５Ｂは、それぞれ前身ごろ７，８のほぼ幅方向に等しい幅を有し、且つ裾部３５Ｂおよび腰周り部４１を除く丈方向長さを有する。
各第１防水性布部材２５Ｂは、左右の側辺と下辺と上辺とを有して全体として丈方向に沿う帯状に形成されている。
特に、各第１防水性布部材２５Ｂの上辺は、下方に向けて凸となるよう湾曲して形成され、幅方向外側端部４２が幅方向内側端部４３に比べて上方に位置した湾曲辺４５を有している。前記上辺は、幅方向外側端部４２からさらに外側にむけて急峻な角度で下降した下降辺４６を有している。
【００２３】
後身ごろ１１，１２の一部を構成する第１防水性布部材２５Ｂは、背面視して略台形に形成されている。該第１防水性布部材２５Ｂは左右の側辺と上辺と下辺とを有する。各側辺は下方ほど幅方向外側に位置するよう傾斜している。上辺は履口から所定量だけ丈方向下方に位置ずれしており、中心が最も下位になるようわずかに下方に向けて凸となるよう湾曲している。
下辺は、その中心部が又部４７の中心から前身ごろ７，８側へ延出されて、該第１防水性布部材２５Ｂは延出部４８を有している。下辺において延出部４８に対する両側は又部４７の中心よりも下方にあって、下方へ凸となるよう湾曲している。
【００２４】
ズボン本体４０において、第１防水性布部材２５Ｂ以外の部分が第２防水性布部材２６Ｂである。すなわち少なくとも裾部３５Ｂ、および着用者の腰部に相当する領域には第２防水性布部材２６Ｂが配置されている。
なお、前身ごろ７，８の一部を構成する第１防水性布部材２５Ｂにおいて、その側辺と、臀部に対応する第１防水性布部材２５Ｂの側辺とは、一部どうしが前後方向で当接するようにして縫着されている（図５において領域Ｓで示している）。
なお、縫着部３９の裏側にはシームテープが貼着されており、これによって縫着目から水が内部に浸入するのを防止した構造となっている。
【００２５】
上記構成において、上衣２の裾部３５Ａおよび袖口部３７は第２防水性布部材２６Ａで形成されている。また、ズボン３の裾部３５Ｂは第２防水性布部材２６Ｂで形成されている。
釣行において上衣２およびズボン３を着用者が着用して、例えば降雨があり、ズボン３の腰周り部が濡れたとする。そうするとズボン３の腰周り部４１に接触する上衣２の裾部３５Ａの内側（装着者の身体側であって生地の裏側）には水が接触する。しかしながら、上衣２の裾部３５Ａは第２防水性布部材２６Ａで形成されており、第２防水性布部材２６Ａは表地材２７の裏側に防水樹脂材２９が積層された二層構造であり、防水樹脂材２９は透湿防水性生地であり、表地材２７は撥水加工された撥水性生地である。
このため、水が防水樹脂材２９に接触しても、第２防水性布部材２６Ａに水が染込まない。したがって、降雨等があったとしても、上衣２の裾部３５Ａから上衣２の内側に水が浸入するのを確実に、しかも長時間防止することができる。よって、雨環境あるいはそれに近い環境下であっても、上衣２を快適に着用することができる。
【００２６】
上衣２の袖口部３７においては着用者の手（あるいは手袋）が濡れたりすると、袖口部３７の内側に水が接触する。あるいは、着用者の腕の上げ下げ動作などにより袖口部３７の内側に水が入り易い環境がつくられる。しかしながら、袖口部３７は第２防水性布部材２６Ａによって形成されているから、水が袖口部分から内部へ染込むのを防止することができる。
【００２７】
ズボン３においては、裾部３５Ｂに第２防水性布部材２６Ｂが配置されている。着用者の履いた靴が雨に濡れると、水が裾部３５Ｂの内側に入り易い環境がつくられる。しかしながら、裾部３５Ｂは第２防水性布部材２６Ｂによって形成されているから、水が裾口部分から内部へ染込むのを防止することができる。
【００２８】
さらに、上衣２およびズボン３において、第２防水性布部材２６Ａ，２６Ｂ以外の強度を要する部分には表地材２７と裏地材２８との間に防水樹脂材２９が積層された三層構造の防水性布部材である第１防水性布部材２５Ａ，２５Ｂが配置されており、装着者の動きによっても釣用ウェア１の損傷を効果的に抑えることができ、しかも三層構造を用いていることにより保温性を確保することもできる。
なお、該保温性を確保するために裏地材２８として、例えばトリコット生地が好適に用いられる。
【００２９】
なお上記何れの実施形態においても、防水樹脂材２９は透湿防水性生地であり、表地材２７は撥水加工された撥水性生地であるから、外側からの水滴が内側へ浸入するのを抑え、しかも内側からの蒸気は外側へ排出することができるから、釣用ウェア１を長時間装着していても蒸れることがない。
特に、透湿防水性生地として、ポリテトラフルオロエチレンを延伸加工したフィルムとポリウレタンポリマーを複合化した生地が好適に用いられる。
【符号の説明】
【００３０】
１…釣用ウェア、２…上衣、３…ズボン、４…上衣本体、９…袖、１８…裾端、２５Ａ，２５Ｂ，２５Ｃ…防水性布部材、２７…表地材、２８…裏地材、２９…防水樹脂材、３５Ａ…裾部、３５Ｂ…裾部、３７…袖口部、３９…縫着部、４０…ズボン本体、４０ａ…履口部、４０ｂ    …裾口部、５０…フード、５１…フード本体
【図１】
2010163723.tif 000003
【図２】
2010163723.tif 000004
【図３】
2010163723.tif 000005
【図４】
2010163723.tif 000006
【図５】
2010163723.tif 000007
【図６】
2010163723.tif 000008